(57)【要約】【課題】屋外という環境下で樋、樋部品が膨張・収縮を繰り返しても止水性を確保できる。また接続部分が水没したり、埃、塵等を含む雨水の水流により層の表面が磨耗しても止水性を確保できる。【解決手段】樋１の端部の内面又は外面に樋部品２を重複して接続する。樋１と樋部品２との重複部間に、基材の厚み方向にわたって撥水剤を含浸して構成した止水材３を介在する。【選択図】図１
2007255171.tif 000002
【特許請求の範囲】
【請求項１】
樋の端部の内面又は外面に樋部品を重複して接続するものにおいて、樋と樋部品との重複部間に、基材の厚み方向にわたって撥水剤を含浸して構成した止水材を介在して成ることを特徴とする樋の止水接続構造。
【請求項２】
軒樋の端部の内面又は外面に軒樋継手を重複して接続するものにおいて、軒樋と軒樋継手との重複部間に、基材の厚み方向にわたって撥水剤を含浸して構成した止水材を介在して成ることを特徴とする樋の止水接続構造。
【請求項３】
樋と樋部品との重複部間に、樋における水の流れる方向に沿って帯状をした止水材を複数列介在して成ることを特徴とする請求項１又は請求項２記載の樋の止水接続構造。
【請求項４】
基材が、不織布、あるいは布、あるいは繊維材料、あるいは繊維を複合した素材により形成してあることを特徴とする請求項１乃至請求項３のいずれかに記載の樋の止水接続構造。
【請求項５】
基材が、吸水性高分子、あるいは吸油性高分子で形成してあることを特徴とする請求項１乃至請求項３のいずれかに記載の樋の止水接続構造。
【請求項６】
撥水剤が、フッ素系の撥水剤であることを特徴とする請求項１乃至請求項５のいずれかに記載の樋の止水接続構造。
【請求項７】
撥水剤が、シリコン系の撥水剤、あるいはアルキル基を伴ったシリコン系の撥水剤であることを特徴とする請求項１乃至請求項５のいずれかに記載の樋の止水接続構造。
【請求項８】
撥水剤が、エマルジョン、あるいはサスペンジョン、あるいはディスパージョンであるものを含浸してあることを特徴とする請求項６又は請求項７記載の樋の止水接続構造。
【発明の詳細な説明】
【技術分野】
【０００１】
本発明は、軒樋のような樋と軒樋継手のような樋部品とを接続する部分における止水の技術に関するものである。
【背景技術】
【０００２】
従来から軒樋の端部同士を軒樋継手を介して接続することが行なわれている。従来は軒樋継手の片側半部を一方の軒樋の端部に重複すると共に軒樋継手の他の片側半部を他方の軒樋の端部に重複して接続する際に、軒樋又は軒樋継手に接着剤を塗布して接着剤を硬化させることで両軒樋と軒樋継手を固着し、同時に接着剤により止水をおこなっていた。
【０００３】
ところが、接着剤を塗布して止水するものにおいては、現場で接着剤を塗布するものであるため、施工のばらつきにより塗布が十分でない事態が生じ、このような場合は止水性が十分でないという問題があり、また、止水に関する耐久性能は接着剤の耐久性能に支配され、その耐久性能は膨張・収縮の作用に対して応力による劣化を伴い、長期的に耐え得るものでないという問題があった。特に、軒樋のような樋は屋外に設置されるため、季節、時間による温度変化で膨張、収縮を繰り返して接着剤による接合部を劣化、破断し、止水性が低下したり、また、降雨、積雪、日射時における基材の差異に伴うヒートショックにより接合部分の劣化、破断が発生して、止水性が低下したりするという問題があった。
【０００４】
また、樋と樋部品との接続ではないが、屋根材と谷樋との間に、表面に撥水処理を施した屋根瓦支持部材を介在させて止水を行なうようにするものが特許文献１により知られている。
【０００５】
ところが、この従来例にあっては、表面だけを撥水処理したものでしかないので、撥水剤を保有していない層が水没すると、浸水が発生することがあり、また、表面だけしか撥水処理してないので、埃、塵等を含む雨水の水流により層の表面が磨耗し、長期間の使用により撥水性能が消滅して水が漏ってくるという問題がある。
【特許文献１】特開平９−２５６８２号公報
【発明の開示】
【発明が解決しようとする課題】
【０００６】
本発明は上記の従来の問題点に鑑みて発明したものであって、屋外という環境下で樋、樋部品が膨張・収縮を繰り返しても止水性を確保でき、また接続部分が水没したり、埃、塵等を含む雨水の水流により層の表面が磨耗しても止水性を確保できる樋の止水接続構造を提供することを課題とするものである。
【課題を解決するための手段】
【０００７】
上記課題を解決するために本発明に係る樋の止水接続構造は、樋１の端部の内面又は外面に樋部品２を重複して接続するものにおいて、樋１と樋部品２との重複部間に、基材の厚み方向にわたって撥水剤を含浸して構成した止水材３を介在して成ることを特徴とするものである。
【０００８】
樋１と樋部品２との重複部間に、基材の厚み方向にわたって撥水剤を含浸して構成した止水材３を介在してあるので、接着剤で接着して止水するもののように樋１、樋部品２の膨張・収縮による接着部分の劣化による止水性能の低下現象が生じることなく、屋外という環境下で樋１、樋部品２が膨張・収縮を繰り返しても止水性を確保できるものであり、また、接続部分が水没したり、埃、塵等を含む雨水の水流により止水材３の表面が磨耗しても止水性を確保できる。
【０００９】
また、軒樋１ａの端部の内面又は外面に軒樋継手２ａを重複して接続するものにおいて、軒樋１ａと軒樋継手２ａとの重複部間に、基材の厚み方向にわたって撥水剤を含浸して構成した止水材３を介在することが好ましい。
【００１０】
このような構成とすることで、軒樋１ａと軒樋継手２ａとの重複部間に、基材の厚み方向にわたって撥水剤を含浸して構成した止水材３を介在してあるので、接着剤で接着して止水するもののように樋樋１ａ、樋樋継手２ａの膨張・収縮による接着部分の劣化による止水性能の低下現象が生じることなく、軒先という環境下で軒樋１ａ、軒樋継手２ａが膨張・収縮を繰り返しても止水性を確保できるものであり、また、接続部分が水没したり、埃、塵等を含む雨水の水流により止水材３の表面が磨耗しても止水性を確保できる。
【００１１】
ここで、樋１と樋部品２との重複部間に、樋１における水の流れる方向に沿って帯状をした止水材３を複数列介在することが好ましい。
【００１２】
このような構成とすることで、樋１の端部の内面又は外面に樋部品２を重複して接続するに当たって、帯状をした止水材３を樋１の端部の内面又は外面や、樋部品２の外面又は内面に沿わせて介在することができると共に、水の流れ方向に複数個所で止水でき、確実な止水ができる。
【００１３】
また、基材が、不織布、あるいは布、あるいは繊維材料、あるいは繊維を複合した素材により形成してあることが好ましい。
【００１４】
このような構成とすることで、不織布、あるいは布、あるいは繊維材料、あるいは繊維を複合した素材により形成した基材に該基材の厚み方向にわたって撥水材を含浸させるのみで厚み方向に止水性を有する止水材３を簡単に構成できる。
【００１５】
また、基材が、吸水性高分子、あるいは吸油性高分子で形成してあることが好ましい。
【００１６】
このような構成とすることで、吸水性高分子、あるいは吸油性高分子で形成した基材に該基材の厚み方向にわたって撥水材を含浸させるのみで厚み方向に止水性を有する止水材３を簡単に構成できる。
【００１７】
ここで、撥水剤が、フッ素系の撥水剤であったり、撥水剤が、シリコン系の撥水剤、あるいはアルキル基を伴ったシリコン系の撥水剤であることが好ましい。
【００１８】
また、撥水剤が、エマルジョン、あるいはサスペンジョン、あるいはディスパージョンであることが好ましい。
【発明の効果】
【００１９】
本発明は、屋外という環境下で樋、樋部品が膨張・収縮を繰り返しても止水性を確保でき、また接続部分が水没したり、埃、塵等を含む雨水の水流により層の表面が磨耗しても止水性を確保でき、この結果、長期間にわたって接続部分から水漏れが生じない接続ができる。
【発明を実施するための最良の形態】
【００２０】
以下、本発明を添付図面に示す実施形態に基いて説明する。
【００２１】
本発明は樋１の端部の内面又は外面に樋部品２を重複して接続するものにおいて、接続部分の止水を行うための発明である。以下の実施形態では樋１として軒樋１ａを例として説明し、樋部品２として軒樋継手２ａを例として説明する。
【００２２】
軒樋１ａの端部同士は軒樋継手２ａを用いて接続する。軒樋１ａは断面略Ｕ字状をして両側片の上端部にそれぞれ耳部４を設けたもので、合成樹脂や金属により形成してある。添付図面に示す実施形態では軒樋継手２ａは外側軒樋継手２ａ１と、内側軒樋継手２ａ２とで構成してある。外側軒樋継手２ａ１は内周形状が軒樋１ａの外周形状と同じ形状をしており、両端部に継手用外側耳部５ａが設けてある。また、内側軒樋継手２ａ２は外周形状が軒樋１ａの内周形状と同じ形状をしており、両端部に継手用内側耳部５ｂが設けてある。そして、軒樋１ａの端部同士を隣接させ、外側軒樋継手２ａ１の内周面を両軒樋１ａの端部の外周面に重複するように被嵌すると共に継手用外側耳部５ａを両軒樋１ａの耳部４の外周部に被嵌し、更に、内側軒樋継手２ａ２の外周面を両軒樋１ａの端部の内周面に重複するように嵌込むと共に継手用内側耳部５ｂを両軒樋１ａの耳部４の内周部に被嵌することで、軒樋１ａの端部同士を軒樋継手２ａを介して接続する。
【００２３】
そして、本発明においては、上記軒樋１ａの端部同士を軒樋継手２ａを用いて接続するに当たって、両軒樋１ａと軒樋継手２ａとの重複部間、つまり、両軒樋１ａと外側軒樋継手２ａ１との重複部間又は／及び両軒樋１ａと内側軒樋継手２ａ２との重複部間に止水材３を介在して接続部における止水を行うようになっている。
【００２４】
止水材３は基材の厚み方向にわたって撥水剤を含浸して構成したものである。基材としては、不織布、あるいは布、あるいは繊維材料、あるいは繊維を複合した素材により形成されたもの、あるいは、吸水性高分子、あるいは吸油性高分子で形成されたもの、あるいは発泡合成樹脂のような発泡素材が用いられる。
【００２５】
上記のような素材でシート状、帯状、紐状に形成された基材に撥水剤を基材全体、つまり、基材の厚み方向にわたって含浸させることで本発明に用いる止水材３を構成してある。撥水剤は、フッ素系の撥水剤、あるいはシリコン系の撥水剤、あるいはアルキル基を伴ったシリコン系の撥水剤である。また、撥水剤が、エマルジョン、あるいはサスペンジョン、あるいはディスパージョンのいずれであってもよい。
基材の厚み方向にわたって撥水剤を含浸させて止水材３を形成するに当たっては、撥水剤中に基材を浸漬することで厚み方向にわたって含浸させたり、あるいは、基材に撥水剤を吹付けることで厚み方向にわたって含浸させたり、あるいは、基材に撥水剤を塗布することで基材の厚み方向にわたって含浸させるものであり、この場合、上記のように基材が、不織布、あるいは布、あるいは繊維材料、あるいは繊維を複合した素材により形成されたもの、あるいは、吸水性高分子、あるいは吸油性高分子で形成されたものであると、厚み方向にわたって確実に撥水剤を含浸させることができる。
【００２６】
上記のような構成のシート状、帯状、紐状をした止水材３を、両軒樋１ａと外側軒樋継手２ａ１との重複部間又は／及び両軒樋１ａと内側軒樋継手２ａ２との重複部間に介在すると、軒樋１ａと外側軒樋継手２ａ１又は軒樋１ａと内側軒樋継手２ａ２とによりシート状、帯状、紐状をした止水材３が内外から弾性的に強く挟持されることで、止水材３の内外面が軒樋１ａの外面と外側軒樋継手２ａ１の内面又は軒樋１ａの外面と内側軒樋継手２ａ２の内面とに強く圧接することになる。止水材３は前述のように厚み方向にわたって撥水剤を含浸してあるので、止水材３の内外面が軒樋１ａの外面と外側軒樋継手２ａ１の内面又は軒樋１ａの外面と内側軒樋継手２ａ２の内面とに強く圧接した部分からの水漏れを防止し、更に、止水材３の層全体（厚み方向の全巾）にわたって水漏れを防止することになる。したがって、軒樋１ａと軒樋継手２ａとの接続部分が雨水中に水没しても接続部分から水漏れが生じない。また、埃、塵等を含む雨水の水流により止水材３の表面が磨耗しても止水材３の層全体（厚み方向の全巾）にわたって撥水剤が含浸してあって止水性を有しているので、表面は磨耗してもいつまでも止水性がなくならないことになり、水漏れが生じない。
【００２７】
なお、止水材３を軒樋１ａの外面と外側軒樋継手２ａ１の内面との重複接続部分の間や軒樋１ａの内面と内側軒樋継手２ａ２の外面との重複接続部分の間に介在させるに当たって、先に外側軒樋継手２ａ１の内面や内側軒樋継手２ａ２の外面にシート状、帯状、紐状をした止水材３の片面を粘着剤や接着剤で取着しておくか、あるいは、軒樋１ａの外面又は内面にシート状、帯状、紐状をした止水材３の片面を粘着剤や接着剤で取着しておいてもよい。この場合には外側軒樋継手２ａ１や内側軒樋継手２ａ２を用いて両軒樋１ａ同士を接続する接続作業を行うのみで止水材３を軒樋１ａの外面と外側軒樋継手２ａ１の内面との重複接続部分の間や軒樋１ａの内面と内側軒樋継手２ａ２の外面との重複接続部分の間に介在させることができる。この場合、止水材３は内外面のうち片面のみを取着するので、軒樋１ａ、外側軒樋継手２ａ１、内側軒樋継手２ａ２が熱により伸縮しても、止水材３は軒樋１ａと外側軒樋継手２ａ１のうちいずれか一方に対してフリーであり、また、軒樋１ａと内側軒樋継手２ａ２のうちいずれか一方に対してフリーであるので、止水材３に伸縮による応力が作用しない。もちろん止水材３を粘着剤や接着剤で取着することなく単に重複接合部分の間に介在するだけでもよい。
【００２８】
また、図６に示すように外側軒樋継手２ａ１の内面や内側軒樋継手２ａ２の外面にシート状、帯状、紐状をした吸水性を有する基材６を一体成形し、この吸水性を有する基材６に撥水剤を基材６の厚み方向に含浸させて止水材３を外側軒樋継手２ａ１の内面又は内側軒樋継手２ａ２の外面に設けてもよい。
【００２９】
上記実施形態では、軒樋継手２ａとして外側軒樋継手２ａ１と内側軒樋継手２ａ２とを用いて軒樋１ａを接続した例を示したが、軒樋継手２ａとして外側軒樋継手２ａ１のみ、又は内側軒樋継手２ａ２のみを設けてもよい。この場合も、図４のように軒樋１ａと外側軒樋継手２ａ１との重複接続部分の間に上記止水材３を介在して止水したり、又は図５のように軒樋１ａと内側軒樋継手２ａ２との重複接続部分の間に止水材３を介在して止水する。
【００３０】
上記実施形態では、軒樋１ａと軒樋継手２ａとの重複接続部分の間に厚み方向にわたって撥水剤を含浸した止水材３を介在して止水した例を示したが、必ずしも樋１として軒樋１ａのみに限定されず、また、樋部品２として軒樋継手２ａのみに限定されるものではなく、他の樋１と他の樋部品２との重複接続部分の間に上記止水材３を介在させるようにしてもよい。
【００３１】
次に、実施例を説明する。
（実施例１）
木綿布の厚み方向の全巾にわたってシリコンオイルを含浸させ、次いで乾燥させることでシリコンオイル含浸木綿布よりなる止水材３を構成した。軒樋１ａとしては鉄製芯材入りの塩化ビニル樹脂製のものを３０ｃｍに切断したものを２個用意し、各軒樋１ａの一端部は止まり部材を固着して閉塞した。また、軒樋継手２ａとしては、塩化ビニル樹脂製の外側軒樋継手２ａ１と塩化ビニル樹脂製の内側軒樋継手２ａ２とを用いた。
【００３２】
上記シリコンオイルを厚み方向の全巾にわたって含浸させたシリコンオイル含浸木綿布よりなる止水材３を、両軒樋１ａの他端部同士を外側軒樋継手２ａ１と内側軒樋継手２ａ２とで接続するにあたって、両軒樋１ａと外側軒樋継手２ａ１との重複部間及び両軒樋１ａと内側軒樋継手２ａ２との重複部間にそれぞれ介在した。
（実施例２）
木綿布の厚み方向の全巾にわたってアクリル系フッ素塗料を含浸させ、次いで乾燥させることでアクリル系フッ素塗料含浸木綿布よりなる止水材３を構成した。軒樋１ａとしては鉄製芯材入りの塩化ビニル樹脂製のものを３０ｃｍに切断したものを２個用意し、各軒樋１ａの一端部は止まり部材を固着して閉塞した。また、軒樋継手２ａとしては、塩化ビニル樹脂製の外側軒樋継手２ａ１と塩化ビニル樹脂製の内側軒樋継手２ａ２とを用いた。
上記アクリル系フッ素塗料を厚み方向の全巾にわたって含浸させたアクリル系フッ素塗料含浸木綿布よりなる止水材３を、両軒樋１ａの他端部同士を外側軒樋継手２ａ１と内側軒樋継手２ａ２とで接続するにあたって、両軒樋１ａと外側軒樋継手２ａ１との重複部間及び両軒樋１ａと内側軒樋継手２ａ２との重複部間にそれぞれ介在した。
（実施例３）
不織布の厚み方向の全巾にわたって長鎖アルコキシシリル基を有する撥水剤を含浸させ、次いで乾燥させることで長鎖アルコキシシリル基を有する撥水剤含浸不織布よりなる止水材３を構成した。軒樋１ａとしては鉄製芯材入りの塩化ビニル樹脂製のものを３０ｃｍに切断したものを２個用意し、各軒樋１ａの一端部は止まり部材を固着して閉塞した。また、軒樋継手２ａとしては、塩化ビニル樹脂製の外側軒樋継手２ａ１と塩化ビニル樹脂製の内側軒樋継手２ａ２とを用いた。
【００３３】
上記長鎖アルコキシシリル基を有する撥水剤を厚み方向の全巾にわたって含浸させた長鎖アルコキシシリル基を有する撥水剤含浸不織布よりなる止水材３を、両軒樋１ａの他端部同士を外側軒樋継手２ａ１と内側軒樋継手２ａ２とで接続するにあたって、両軒樋１ａと外側軒樋継手２ａ１との重複部間及び両軒樋１ａと内側軒樋継手２ａ２との重複部間にそれぞれ介在した。
（実施例４）
不織布の厚み方向の全巾にわたってアクリル系フッ素塗料を含浸させ、次いで乾燥させることでアクリル系フッ素塗料含浸不織布よりなる止水材３を構成した。軒樋１ａとしては鉄製芯材入りの塩化ビニル樹脂製のものを３０ｃｍに切断したものを２個用意し、各軒樋１ａの一端部は止まり部材を固着して閉塞した。また、軒樋継手２ａとしては、塩化ビニル樹脂製の外側軒樋継手２ａ１と塩化ビニル樹脂製の内側軒樋継手２ａ２とを用いた。
上記アクリル系フッ素塗料を厚み方向の全巾にわたって含浸させたアクリル系フッ素塗料含浸不織布よりなる止水材３を、両軒樋１ａの他端部同士を外側軒樋継手２ａ１と内側軒樋継手２ａ２とで接続するにあたって、両軒樋１ａと外側軒樋継手２ａ１との重複部間及び両軒樋１ａと内側軒樋継手２ａ２との重複部間にそれぞれ介在した。
（実施例５）
吸水性ポリマーにより形成したシートの厚み方向の全巾にわたって長鎖アルコキシシリル基を有する撥水剤を含浸させ、次いで乾燥させることで長鎖アルコキシシリル基を有する撥水剤含浸シートよりなる止水材３を構成した。軒樋１ａとしては鉄製芯材入りの塩化ビニル樹脂製のものを３０ｃｍに切断したものを２個用意し、各軒樋１ａの一端部は止まり部材を固着して閉塞した。また、軒樋継手２ａとしては、塩化ビニル樹脂製の外側軒樋継手２ａ１と塩化ビニル樹脂製の内側軒樋継手２ａ２とを用いた。
【００３４】
上記長鎖アルコキシシリル基を有する撥水剤を厚み方向の全巾にわたって含浸させた長鎖アルコキシシリル基を有する撥水剤含浸シートよりなる止水材３を、両軒樋１ａの他端部同士を外側軒樋継手２ａ１と内側軒樋継手２ａ２とで接続するにあたって、両軒樋１ａと外側軒樋継手２ａ１との重複部間及び両軒樋１ａと内側軒樋継手２ａ２との重複部間にそれぞれ介在した。
（実施例６）
帯状をした吸水性不織布の厚み方向の全巾にわたってシリコンオイルを含浸させ、次いで乾燥させることでシリコンオイル含浸不織布よりなる止水材３を構成した。軒樋１ａとしては鉄製芯材入りの塩化ビニル樹脂製のものを３０ｃｍに切断したものを２個用意し、各軒樋１ａの一端部は止まり部材を固着して閉塞した。また、軒樋継手２ａとしては、塩化ビニル樹脂製の外側軒樋継手２ａ１を用いた。
【００３５】
上記シリコンオイルを厚み方向の全巾にわたって含浸させたシリコンオイル含浸不織布よりなる帯状をした止水材３を、両軒樋１ａの他端部同士を外側軒樋継手２ａ１で接続するにあたって、両軒樋１ａと外側軒樋継手２ａ１との重複部間に軒樋１ａにおける雨水の流れ方向に沿って３列介在した。
（実施例７）
帯状をした吸水性不織布の厚み方向の全巾にわたってシリコンオイルを含浸させ、次いで乾燥させることでシリコンオイル含浸不織布よりなる止水材３と、帯状をした木綿布の厚み方向の全巾にわたってシリコンオイルを含浸させ、次いで乾燥させることでシリコンオイル含浸木綿布よりなる止水材３とを構成した。軒樋１ａとしては鉄製芯材入りの塩化ビニル樹脂製のものを３０ｃｍに切断したものを２個用意し、各軒樋１ａの一端部は止まり部材を固着して閉塞した。また、軒樋継手２ａとしては、塩化ビニル樹脂製の外側軒樋継手２ａ１を用いた。
【００３６】
両軒樋１ａの他端部同士を外側軒樋継手２ａ１で接続するにあたって、上記シリコンオイルを厚み方向の全巾にわたって含浸させたシリコンオイル含浸不織布よりなる帯状をした止水材３を、両軒樋１ａと外側軒樋継手２ａ１との重複部間に軒樋１ａにおける雨水の流れ方向に沿って２列介在すると共に、上記シリコンオイル含浸木綿布よりなる帯状をした止水材３を、両軒樋１ａと外側軒樋継手２ａ１との重複部間において上記シリコンオイル含浸不織布よりなる帯状をした止水材３間に介在した。
（実施例８）
軒樋１ａとしては鉄製芯材入りの塩化ビニル樹脂製のものを３０ｃｍに切断したものを２個用意し、各軒樋１ａの一端部は止まり部材を固着して閉塞した。軒樋継手２ａとして、吸水性の不織布よりなる帯状の基材を軒樋継手２ａの内周面に一体成形した塩化ビニル樹脂製の外側軒樋継手２ａ１を用いた。帯状の基材は軒樋継手２ａに軒樋１ａにおける雨水の流れ方向に沿って３列形成した。この軒樋継手２ａに一体に設けた基材に軒樋１ａとの接続直前にシリコンオイルを基材の厚み方向の全巾にわたって含浸させて止水材３付の軒樋継手２ａを形成した。
【００３７】
軒樋１ａの端部を近接させ、両軒樋１ａの端部外周にわたるように、上記止水材３付の軒樋継手２ａを被嵌し、外側軒樋継手２ａ１の内面に設けた止水材３を両軒樋１ａの端部外周面に押圧した。
【００３８】
上記実施例１〜実施例８の各サンプルの漏水性試験を以下のようにして行った。
【００３９】
実施例１〜実施例８の各サンプルにそれぞれ水２リットルを注ぎ、各サンプルの軒樋１ａと軒樋継手２ａとの接続部分における３０分後、１時間後、８時間後の漏水の有無を調べたところ、いずれの実施例のサンプルも各時間につき漏水は見られなかった。
【００４０】
ここで、実施例６、実施例７の各サンプルについては上記漏水性試験を行うに当たって寒熱繰り返し後に漏水試験を行った。
【００４１】
寒熱繰り返しは、徐昇温も含めて最終到達温度が８０℃となるように６時間加熱し、その後、徐冷も含めて最終到達温度が１０℃となるように６時間冷却するという加熱と冷却との２挙動を繰り返すことを１サイクルとし、これを０、３０、６０、１２０、２４０の各サイクル終了後に、実施例６、実施例７の各サンプルにそれぞれ水２リットルを注ぎ、各サンプルの軒樋１ａと軒樋継手２ａとの接続部分における３０分後、１時間後、８時間後の漏水の有無を調べたところ、いずれの実施例のサンプルも各時間につき漏水は見られなかった。
【図面の簡単な説明】
【００４２】
【図１】本発明の一実施形態の断面図である。
【図２】同上の斜視図である。
【図３】同上の分解斜視図である。
【図４】本発明の他の実施形態の断面図である。
【図５】本発明の更に他の実施形態の断面図である。
【図６】外側軒樋継手の内面に複数列（３列）に吸水性不織布を一体に形成した例を示す斜視図である。
【符号の説明】
【００４３】
１  樋
２  樋部品
３  止水材
【図１】
2007255171.tif 000003
【図２】
2007255171.tif 000004
【図３】
2007255171.tif 000005
【図４】
2007255171.tif 000006
【図５】
2007255171.tif 000007
【図６】
2007255171.tif 000008